(57)【要約】【課題】ヘアドライヤー本体の風の送出口に取り付けるだけで、赤外線又は遠赤外線を伴う温風を簡便に生成させることが可能なヘアドライヤー用ノズル及びそれを備えたヘアドライヤーを提供する。【解決手段】本考案のヘアドライヤー用ノズル１０は、外部から吸引した空気を加熱して吹き出すヘアドライヤー本体の送出口２１に、着脱自在に設けられるヘアドライヤー用ノズル１０であって、送出口２１にヘアドライヤー用ノズル１０を取り付けるための取り付け部１１と、取り付け部１１よりも前記空気の送風方向に対し下流側に設けられ、かつ、少なくとも１つの貫通孔を有するセラミックス部１２とを備え、セラミックス部１２は、加熱され、前記送出口２１から吹き出された空気を前記貫通孔に通過させることにより、赤外線又は遠赤外線を伴う空気を生成する。【選択図】  図１
0003199268.tif 000002
【実用新案登録請求の範囲】
【請求項１】
外部から吸引した空気を加熱して吹き出すヘアドライヤー本体の送出口に、着脱自在に設けられるヘアドライヤー用ノズルであって、
前記送出口にヘアドライヤー用ノズルを取り付けるための取り付け部と、
前記取り付け部よりも前記空気の送風方向に対し下流側に設けられ、かつ、少なくとも１つの貫通孔を有し、赤外線又は遠赤外線を放射するセラミックス部とを備え、
前記セラミックス部は、加熱され、前記送出口から吹き出された空気を前記貫通孔に通過させることにより、赤外線又は遠赤外線を伴う温風を生成するヘアドライヤー用ノズル。
【請求項２】
前記セラミックス部における前記貫通孔は、
前記セラミックス部の中央部に設けられた少なくとも１つの第１貫通孔と、
前記第１貫通孔を囲む様にハニカム状に設けられ、かつ、当該第１貫通孔よりも開口面積が小さい複数の第２貫通孔とからなる請求項１に記載のヘアドライヤー用ノズル。
【請求項３】
外部から吸引した空気を加熱して吹き出すヘアドライヤーであって、
前記空気を吸い込むための吸込口、及び当該空気を加熱した後に送出するための送出口を有する本体部と、
前記送出口に着脱自在に設けられるヘアドライヤー用ノズルとを備え、
前記本体部は、前記吸込口から吸い込んだ空気を、前記送出口に向けて送出するファンと、当該ファンにより送出された前記空気を加熱するヒーターとを内部に有し、
前記ヘアドライヤー用ノズルは、前記送出口にノズルを取り付けるための取り付け部と、前記取り付け部よりも前記空気の送風方向に対し下流側に設けられ、かつ、少なくとも１つの貫通孔を有し、赤外線又は遠赤外線を放射するセラミックス部とを有し、
前記セラミックス部は、前記ヒーターにより加熱され、前記ファンにより前記送出口から吹き出された空気を、前記貫通孔に通過させることにより、赤外線又は遠赤外線を伴う温風を生成するヘアドライヤー。
【請求項４】
前記ヘアドライヤー用ノズルの前記セラミックス部における前記貫通孔は、
前記セラミックス部の中央部に設けられた少なくとも１つの第１貫通孔と、
前記第１貫通孔を囲む様にハニカム状に設けられ、かつ、当該第１貫通孔よりも開口面積が小さい複数の第２貫通孔とからなる請求項３に記載のヘアドライヤー。
【考案の詳細な説明】
【技術分野】
【０００１】
本考案は、ヘアドライヤー用ノズル及びそれを備えたヘアドライヤーに関し、より詳細には、ヘアドライヤーにおける風の送出口に取り付けるだけで、赤外線又は遠赤外線を伴う温風を簡便に生成させることが可能なヘアドライヤー用ノズル及びそれを備えたヘアドライヤーに関する。
【背景技術】
【０００２】
従来のヘアドライヤーは、鉄クロム線やニクロム線のような熱線により発生する熱風を利用して毛髪を乾燥させることができるように構成されている。例えば、一側に取手が備えられ、その前後側に吸込口と送出口が互いに対応するように形成された本体の内部に、駆動モーターにより駆動されるファンと、このファンの前方に配置される電熱線を装着して構成されている。そして、前記取手に装着された操作スイッチを操作して前記駆動モーターと熱線を作動させると、前記送出口から熱風を送出させることができる。
【０００３】
しかし、この様なヘアドライヤーは、熱風による対流加熱方式を利用して毛髪を乾かすため、毛髪の外部のみが熱風により加熱され、毛髪の内部まで十分に乾燥できないという問題点がある。また、毛髪の内部を乾かすために、高温の熱風を毛髪に長時間当てると、毛髪を熱により損傷させるという問題点がある。さらに、外部から取り込んだ空気を電熱線で加熱して熱風にするための効率も低いので、電気の消費量が大きいという問題点もある。
【０００４】
これらの問題点を解決するため、例えば下記特許文献１には、電熱線に対し空気の送風方向における下流側にセラミックス製ハニカム状構造体を備えた温風加熱器が開示されている。当該特許文献１に記載の発明であると、赤外線放射効率を高めることができるとされている。
【先行技術文献】
【特許文献】
【０００５】
【特許文献１】特開２００６−１１２７７１号公報
【考案の概要】
【考案が解決しようとする課題】
【０００６】
本考案は、ヘアドライヤー本体の風の送出口に取り付けるだけで、赤外線又は遠赤外線を伴う温風を簡便に生成させることが可能なヘアドライヤー用ノズル及びそれを備えたヘアドライヤーを提供することを目的とする。
【課題を解決するための手段】
【０００７】
本考案に係るヘアドライヤー用ノズルは、前記の課題を解決するために、外部から吸引した空気を加熱して吹き出すヘアドライヤー本体の送出口に、着脱自在に設けられるヘアドライヤー用ノズルであって、前記送出口にヘアドライヤー用ノズルを取り付けるための取り付け部と、前記取り付け部よりも前記空気の送風方向に対し下流側に設けられ、かつ、少なくとも１つの貫通孔を有し、赤外線又は遠赤外線を放射するセラミックス部とを備え、前記セラミックス部は、加熱され、前記送出口から吹き出された空気を前記貫通孔に通過させることにより、赤外線又は遠赤外線を伴う温風を生成することを特徴とする。
【０００８】
前記の構成に於いて、前記セラミックス部における前記貫通孔は、前記セラミックス部の中央部に設けられた少なくとも１つの第１貫通孔と、前記第１貫通孔を囲む様にハニカム状に設けられ、かつ、当該第１貫通孔よりも開口面積が小さい複数の第２貫通孔とからなることが好ましい。
【０００９】
また、本考案に係るヘアドライヤーは、前記の課題を解決するために、外部から吸引した空気を加熱して吹き出すヘアドライヤーであって、前記空気を吸い込むための吸込口、及び当該空気を加熱した後に送出するための送出口を有する本体部と、前記送出口に着脱自在に設けられるヘアドライヤー用ノズルとを備え、前記本体部は、前記吸込口から吸い込んだ空気を、前記送出口に向けて送出するファンと、当該ファンにより送出された前記空気を加熱するヒーターとを内部に有し、前記ヘアドライヤー用ノズルは、前記送出口にノズルを取り付けるための取り付け部と、前記取り付け部よりも前記空気の送風方向に対し下流側に設けられ、かつ、少なくとも１つの貫通孔を有し、赤外線又は遠赤外線を放射するセラミックス部とを有し、前記セラミックス部は、前記ヒーターにより加熱され、前記ファンにより前記送出口から吹き出された空気を、前記貫通孔に通過させることにより、赤外線又は遠赤外線を伴う温風を生成することを特徴とする。
【００１０】
前記の構成に於いて、前記ヘアドライヤー用ノズルの前記セラミックス部における前記貫通孔は、前記セラミックス部の中央部に設けられた少なくとも１つの第１貫通孔と、前記第１貫通孔を囲む様にハニカム状に設けられ、かつ、当該第１貫通孔よりも開口面積が小さい複数の第２貫通孔とからなることが好ましい。
【考案の効果】
【００１１】
本考案は、前記に説明した手段により、以下に述べるような効果を奏する。
即ち、本考案のヘアドライヤー用ノズルは、送出口に当該ヘアドライヤー用ノズルを取り付けるための取り付け部と、当該取り付け部よりも空気の送風方向に対し下流側に設けられたセラミックス部とを有している。さらに、セラミックス部は、赤外線又は遠赤外線を放射する機能を有しており、空気を通過させるための貫通孔も少なくとも１つ備えている。そのため、加熱された空気を前記セラミックス部に接触させ、貫通孔を通過させることにより、赤外線又は遠赤外線を伴う温風を吹き出させることが可能になる。すなわち、本考案のヘアドライヤー用ノズルであると、ヘアドライヤー本体の送出口に取り付けるだけで、赤外線又は遠赤外線を伴う温風を簡便に吹き出させることができる。
【００１２】
また、本考案のヘアドライヤーは、ヘアドライヤーの本体部における空気の送出口に、前記ヘアドライヤー用ノズルを着脱自在に備えているので、赤外線又は遠赤外線を伴う空気の吹き出しを可能にする。その結果、毛髪を乾かす際に、毛髪の内部まで十分に乾燥させることができ、また熱風を長時間毛髪に当てる必要もないので、毛髪の損傷も低減することができる。
【図面の簡単な説明】
【００１３】
【図１】本考案の実施の一形態に係るヘアドライヤーを表す断面模式成図である。
【図２】前記ヘアドライヤーにおけるヘアドライヤー用ノズルを表す平面図である。
【図３】前記ヘアドライヤー用ノズルに設けられるセラミックス部を表す平面図である。
【考案を実施するための形態】
【００１４】
本実施の形態に係るヘアドライヤーについて、図１〜図３を参照しながら、以下に説明する。図１は、本実施の形態に係るヘアドライヤーを表す断面模式図である。図２は、前記ヘアドライヤーにおけるヘアドライヤー用ノズル（以下、「ノズル」という。）を表す平面図である。図３は、前記ノズルに設けられたセラミックス部を表す平面図である。
【００１５】
本実施の形態に係るヘアドライヤー１は、図１に示すように、ノズル１０、本体部２０及びグリップ３０を主に備える。
【００１６】
ノズル１０は、本体部２０における空気の送出口２１に、当該ノズル１０を取り付けるための取り付け部１１を備えている。取り付け部１１の送出口２１への取り付けは、嵌合によりなされる。具体的には、取り付け部１１における開口穴に送出口２１が軸として挿入し、着脱自在に相互に嵌合した状態となっている。但し、本考案はこの態様に限定されるものではなく、例えば、取り付け部１１と送出口２１が螺合により着脱自在に設けられていてもよい。この場合、例えば、取り付け部１１は雌ネジ、送出口２１は雄ネジとして機能する様に螺合構造を採用することができる。
【００１７】
ノズル１０の内部には、図２に示す様に、セラミックス部１２が設けられている。セラミックス部１２は赤外線又は遠赤外線（以下、「赤外線等」という。）を放射する機能を有しており、加熱された空気及び後述するヒーターによる加熱によって赤外線等を放射する。また、セラミックス部１２は、取り付け部１１よりも、加熱された空気の送風方向に対し下流側に設けられている。また、セラミックス部１２は、ＳｉＣ、ＳｉＯ２、Ｂ４Ｃ、ＡｌＮ、Ａｌ２Ｏ３、ＭｇＯ等の公知のセラミック材料により形成することができる
【００１８】
セラミックス部１２は、図３に示すように、外形が円柱状であり、平面視において複数の貫通孔１４が送風方向に対し開口する様に設けられている。貫通孔１４は、セラミックス部１２の中央部に設けられた３つの第１貫通孔１４ａと、当該第１貫通孔１４ａの周囲に設けられた複数の第２貫通孔１４ｂとからなる。
【００１９】
第１貫通孔１４ａの平面視における開口形状は扇形状であり、３つの第１貫通孔１４ａにより円形状となる様に配置されている。また、第２貫通孔１４ｂの平面視における開口形状は、六角形状でありハニカム構造となっている。但し、第１貫通孔１４ａの開口形状は扇形状の場合に限定されず、多角形状、円形状又は楕円形状であってもよい。また、第２貫通孔１４ｂの開口形状も六角形状の場合に限定されず、多角形状、円形状又は楕円形状であってもよい。
【００２０】
第１貫通孔１４ａの開口面積は第２貫通孔１４ｂの開口面積よりも大きくなっている。これにより、加熱された空気が、セラミックス部１２により不必要に阻害され、吹き出される風量（空気の量）が低下するのを防止できると共に、ノズル１０の内部の温度が過度に上昇するのも抑制することができる。また、第１貫通孔１４ａの周囲に、開口面積が小さい複数の第２貫通孔１４ｂを設けるのは、加熱された空気との接触面積を大きくするためである。これにより、赤外線等を伴う温風を効率良く生成することができる。
【００２１】
第１貫通孔１４ａ及び第２貫通孔１４ｂのそれぞれの最大径の値は特に限定されず、適宜必要に応じて設定することができる。また、第２貫通孔１４ｂの数についても適宜必要に応じて設定することができる。
【００２２】
また、ノズル１０における取り付け部１１とは反対側の端部には、赤外線を伴う加熱された空気を吹き出すための吹出口１３が設けられている。
【００２３】
さらに、ノズル１０の吹出口１３の近傍には、使用者が誤ってセラミックス部１２に接触し、やけど等を負うのを防止するための接触防止部１５が設けられている。接触防止部１５は、赤外線等を伴う温風が吹き出すのを阻害しないように、スリット状に開口している。しかしながら、本実施の形態はこの態様に限定されるものではなく、例えば格子状、渦状スリット等の接触防止部を採用してもよい。
【００２４】
本体部２０は、一方端に空気の吸込口２２、他方端に空気の送出口２１を有している。また、本体部２０は、その内部に、軸流ファン２３及びヒーター２４を備えている。
【００２５】
軸流ファン２３は、回転軸を中心に回転する回転翼２３ａを有している。軸流ファン２３が動作することによって、外部の空気が吸込口２２から吸入され、本体部２０内で気流を発生させ、送出口２１に向けて気流を送出させる。軸流ファン２３の回転軸は、本体部２０の筒長方向に平行となっている。
【００２６】
ヒーター２４は、送出口２１と軸流ファン２３との間に設けられ、当該軸流ファン２３により送出された空気を加熱する。また、ヒーター２４は、本体部２０の筒長方向に沿って配置された支持板に電熱線２４ａを巻き付けた構成を有している。
【００２７】
本体部２０の送出口２１の近傍には、使用者が誤ってヒーター２４に接触し、やけど等を負うのを防止するために他の接触防止部２５が設けられている。他の接触防止部２５は、加熱され、軸流ファン２３により送出された空気の流れを阻害しないように、渦状スリットの形状で開口している。しかしながら、本実施の形態はこの態様に限定されるものではなく、例えばスリット状、格子状等の他の接触防止部を採用してもよい。
【００２８】
グリップ３０は、電源オン・オフを制御する電源スイッチ３１を有している。また、グリップ３０は、「低温モード」を選択するためのスイッチや、風量を上げるためのターボ機能をオン・オフするスイッチを備えていてもよい。電源スイッチ３１はオン・オフだけでなく、例えば、「クール」、「セット」、「ドライ」といった３種類のモードを備えており、「セット」と「ドライ」では、加熱された赤外線を伴う温風を吹き出すことができる。本実施の形態のヘアドライヤー１は、吹出口１３から吹き出される温風が赤外線等を伴うものであるため、毛髪を乾かす場合には、毛髪の内部まで十分に乾燥させることができる。さらに、従来のヘアドライヤーと比較して、温風の設定温度まで外部から吸い込んだ空気を効率良く加熱することができるため、消費電力の低減も図れる。また、本実施の形態のヘアドライヤー１は、従来のヘアドライヤーのように熱風を長時間毛髪に当てる必要もないので、毛髪の損傷も低減することができる。
【００２９】
尚、本実施の形態においては、ヘアドライヤーとして軸流ファンを例にして説明したが、本考案はこの態様に限定されない。例えば、シロッコファンや遠心ファン等の送風可能なファンを用いることも可能である。この場合、外部から空気を吸い込むための吸込口の取り付け位置は、適宜必要に応じて設定することができる。
【符号の説明】
【００３０】
１  ヘアドライヤー
１０  ヘアドライヤー用ノズル
１１  取り付け部
１２  セラミックス部
１３  吹出口
１４  貫通孔
１４ａ  第１貫通孔
１４ｂ  第２貫通孔
２０  本体部
２１  送出口
２２  吸込口
２３  軸流ファン
２３ａ  回転翼
２４  ヒーター
２４ａ  電熱線
３０  グリップ
３１  電源スイッチ
【図１】
0003199268.tif 000003
【図２】
0003199268.tif 000004
【図３】
0003199268.tif 000005